(57)【要約】【課題】  電源システムの全ての異常を通知し、且つ通知先にとって通知内容の確認作業の煩わしさを低減できる監視装置、およびそれを用いた監視システムを提供する。【解決手段】  発生中の異常がない場合に異常検出部１２が電源システムの異常を検出すれば、通信制御部１４は、この検出された異常に関する異常情報を通信部１３報知端末７送信させる。また、発生中の異常がある場合、通信制御部１４は、通信部１３による異常情報の送信タイミングを所定時間毎に設定する。そして、通信制御部１４は、前回の送信タイミングから所定時間が経過したタイミングで、前回の送信タイミング以降に検出された電源システムの異常に関する異常情報を通信部１３から報知端末７へ送信させる。【選択図】図１
2015220966.tif 000002
【特許請求の範囲】
【請求項１】
電力系統へ電力を供給する電源システムから前記電源システムに関するシステム情報を収集する情報収集部と、
前記システム情報に基づいて前記電源システムの異常を検出する異常検出部と、
前記電源システムの異常を報知する報知端末との間で通信を行う通信部と、
前記電源システムの異常に関する異常情報を前記通信部から前記報知端末へ送信させる通信制御部と、
前記異常検出部の検出結果に基づく前記電源システムの異常の発生状況を示す異常履歴情報を格納する記憶部とを備え、
前記通信制御部は、前記異常履歴情報を参照して発生中の異常の有無を判定し、前記発生中の異常がない場合に前記異常検出部が前記電源システムの異常を検出すれば、この検出された異常に関する前記異常情報を前記通信部から前記報知端末へ送信させ、
前記通信制御部は、前記発生中の異常がある場合、前記通信部による前記異常情報の送信タイミングを所定時間毎に設定し、前回の前記送信タイミングから前記所定時間が経過したタイミングで、前回の前記送信タイミング以降に検出された前記電源システムの異常に関する前記異常情報を前記通信部から前記報知端末へ送信させる
ことを特徴とする監視装置。
【請求項２】
前記通信制御部は、前記発生中の異常がある場合、前回の前記送信タイミングから前記所定時間が経過したタイミングで、前回の前記送信タイミング以降に検出された前記電源システムの異常を含む全ての発生中の異常に関する前記異常情報を前記通信部から前記報知端末へ送信させることを特徴とする請求項１記載の監視装置。
【請求項３】
前記通信制御部は、前記発生中の異常がある場合、前回の前記送信タイミングから前記所定時間が経過したタイミングで、前回の前記送信タイミング以降に検出された前記電源システムの異常のみに関する前記異常情報を前記通信部から前記報知端末へ送信させることを特徴とする請求項１記載の監視装置。
【請求項４】
前記異常情報は、前記異常の検出時刻と、前記異常の発生箇所と、前記異常の内容とを前記報知端末に報知させる情報であることを特徴とする請求項１乃至３いずれか記載の監視装置。
【請求項５】
前記通信制御部は、前記異常履歴情報を参照して全ての前記発生中の異常が解消された場合、異常の復旧がなされたことを前記通信部から前記報知端末へ通知させることを特徴とする請求項１乃至４いずれか記載の監視装置。
【請求項６】
前記情報収集部は、複数の前記電源システムの前記システム情報を収集し、
前記異常検出部は、前記システム情報に基づいて前記電源システムのそれぞれの異常を検出する
ことを特徴とする請求項１乃至５いずれか記載の監視装置。
【請求項７】
前記通信制御部は、前記異常履歴情報を参照して発生中の異常の有無を前記電源システム毎に判定し、前記発生中の異常がない第１の電源システムの異常を前記異常検出部が検出すれば、この検出された異常に関する前記異常情報を前記通信部から前記報知端末へ送信させ、
前記通信制御部は、前記発生中の異常がある第２の電源システムの前記異常情報の送信タイミングを所定時間毎に設定し、前回の前記送信タイミングから前記所定時間が経過したタイミングで、前回の前記送信タイミング以降に検出された前記第２の電源システムの異常に関する前記異常情報を前記通信部から前記報知端末へ送信させる
ことを特徴とする請求項６記載の監視装置。
【請求項８】
前記通信制御部は、前記電源システムのそれぞれに付与された優先度の情報を保持し、
前記通信制御部は、いずれかの前記電源システムに前記発生中の異常があるときに、前記異常情報の前回の送信タイミングから前記所定時間が経過するまでに前記異常検出部が前記異常を検出した場合、この異常が検出された前記電源システムの前記優先度が、前記発生中の異常がある前記電源システムの前記優先度より高ければ、前記通信制御部は、この検出された前記異常に関する前記異常情報を前記通信部から前記報知端末へ送信させ、
前記通信制御部は、いずれかの前記電源システムに前記発生中の異常があるときに、前記異常情報の前回の送信タイミングから前記所定時間が経過するまでに前記異常検出部が前記異常を検出した場合、この異常が検出された前記電源システムの前記優先度が、前記発生中の異常がある前記電源システムの前記優先度より低ければ、前記通信制御部は、前記異常情報の前回の送信タイミングから前記所定時間が経過したタイミングで、この検出された前記異常に関する前記異常情報を前記通信部から前記報知端末へ送信させる
ことを特徴とする請求項６記載の監視装置。
【請求項９】
請求項１乃至８いずれか記載の監視装置と、前記監視装置から受信した前記異常情報を報知する前記報知端末とを備えることを特徴とする監視システム。
【発明の詳細な説明】
【技術分野】
【０００１】
本発明は、一般に監視装置、およびそれを用いた監視システム、より詳細には電源システムの異常を通知する監視装置、およびそれを用いた監視システムに関する。
【背景技術】
【０００２】
従来、太陽電池等の分散電源を用いた電源システムの発電電力を負荷へ供給する電力供給システムがある。このような電力供給システムに対しては、電源システムの異常を検出して、この異常内容をユーザへ通知する監視システムが一般に設けられる（例えば、特許文献１，２参照）。
【先行技術文献】
【特許文献】
【０００３】
【特許文献１】特許４８０２０４６号公報
【特許文献２】特開２００２−２７２０１７号公報
【発明の概要】
【発明が解決しようとする課題】
【０００４】
従来の監視システムでは、電源システムの異常を検出した場合、異常検出の度に異常通知を行っており、通知先は、頻繁に異常通知を受け取るので、通知内容の確認作業が煩わしいものとなっていた。
【０００５】
また一方では、電源システムの全ての異常を漏れなく通知してほしいという要望もある。
【０００６】
本発明は、上記事由に鑑みてなされたものであり、その目的は、電源システムの全ての異常を通知し、且つ通知先にとって通知内容の確認作業の煩わしさを低減できる監視装置、およびそれを用いた監視システムを提供することにある。
【課題を解決するための手段】
【０００７】
本発明の監視装置は、電力系統へ電力を供給する電源システムから前記電源システムに関するシステム情報を収集する情報収集部と、前記システム情報に基づいて前記電源システムの異常を検出する異常検出部と、前記電源システムの異常を報知する報知端末との間で通信を行う通信部と、前記電源システムの異常に関する異常情報を前記通信部から前記報知端末へ送信させる通信制御部と、前記異常検出部の検出結果に基づく前記電源システムの異常の発生状況を示す異常履歴情報を格納する記憶部とを備え、前記通信制御部は、前記異常履歴情報を参照して発生中の異常の有無を判定し、前記発生中の異常がない場合に前記異常検出部が前記電源システムの異常を検出すれば、この検出された異常に関する前記異常情報を前記通信部から前記報知端末へ送信させ、前記通信制御部は、前記発生中の異常がある場合、前記通信部による前記異常情報の送信タイミングを所定時間毎に設定し、前回の前記送信タイミングから前記所定時間が経過したタイミングで、前回の前記送信タイミング以降に検出された前記電源システムの異常に関する前記異常情報を前記通信部から前記報知端末へ送信させることを特徴とする。
【０００８】
本発明の監視システムは、本発明の監視装置と、前記監視装置から受信した前記異常情報を報知する前記報知端末とを備えることを特徴とする。
【発明の効果】
【０００９】
以上説明したように、本発明の監視装置、およびそれを用いた監視システムでは、電源システムの全ての異常を通知し、且つ通知先にとって通知内容の確認作業の煩わしさを低減できるという効果がある。
【図面の簡単な説明】
【００１０】
【図１】実施形態の監視システムの構成を示すブロック図である。
【図２】従来の監視システムの通信処理を示す通信シーケンスである。
【図３】従来の監視システムの通信処理を示す通信シーケンスである。
【図４】実施形態の監視システムの通信処理を示すフローチャートである。
【図５】実施形態の異常履歴情報を示すテーブル図である。
【図６】実施形態の監視システムの通信処理を示すフローチャートである。
【図７】実施形態の監視システムの通信処理を示す通信シーケンスである。
【図８】実施形態の第１の変形例における異常履歴情報を示すテーブル図である。
【図９】実施形態の第２の変形例における監視システムの構成を示すテーブル図である。
【図１０】実施形態の第２の変形例における通信処理を示す通信シーケンスである。
【図１１】実施形態の第３の変形例における通信処理を示す通信シーケンスである。
【発明を実施するための形態】
【００１１】
以下、本発明の実施の形態を図面に基づいて説明する。
【００１２】
（実施形態）
図１は、監視装置１を用いた監視システムの構成を示す。
【００１３】
まず、太陽光発電システム２、蓄電池システム３等の電源システムが電力系統９に接続しており、太陽光発電システム２、蓄電池システム３のそれぞれは、電力系統９に交流電力を供給する。電力系統９は専用の電力系統、商用電力系統のいずれでもよく、電力系統９が商用電力系統である場合、太陽光発電システム２、蓄電池システム３は、商用電力系統に連系可能に構成される。そして、照明器具、空調装置、パーソナルコンピュータ等の電気機器である負荷（図示なし）が電力系統９に電気的に接続しており、電力系統９から電力を供給される。
【００１４】
そして、監視装置１は、監視用ネットワーク８を介して太陽光発電システム２、蓄電池システム３と通信可能であり、太陽光発電システム２、蓄電池システム３の各状態を監視している。さらに、監視装置１は、図示しないルータ等を通してインターネット等の広域ネットワーク１００に接続している。そして太陽光発電システム２、蓄電池システム３等の電源システムを管理する管理会社の報知端末７も広域ネットワーク１００に接続しており、監視装置１は、報知端末７との間で通信が可能になる。
【００１５】
報知端末７は、モニタ画面およびスピーカ等を備えた専用端末、パーソナルコンピュータ、タブレット、携帯電話等の情報端末で構成される。
【００１６】
太陽光発電システム２は、太陽電池２１、パワーコンディショナ２２、電力計測器２３、日射計２４、気温計２５を、設備機器として備える。太陽電池２１は、太陽光によって発電して直流電力を出力する。パワーコンディショナ２２は、太陽電池２１の直流出力を交流電力に変換して、電力系統９へ出力する。電力計測器２３は、パワーコンディショナ２２に内蔵されており、太陽電池２１の発電電力（またはパワーコンディショナ２２の出力）を計測し、この計測結果（発電電力情報）を監視装置１へ送信する。日射計２４は、太陽電池２１の設置場所（または設置場所の近傍）の日射量を測定し、日射量の測定結果（日射量情報）を監視装置１へ送信する。気温計２５は、太陽電池２１の設置場所（または設置場所の近傍）の気温を測定し、気温の測定結果（気温情報）を監視装置１へ送信する。なお、図１において発電電力情報、日射量情報、気温情報は、パワーコンディショナ２２を介して監視装置１へ送信されているが、電力計測器２３、日射計２４、気温計２５のそれぞれから監視装置１へ直接送信される構成でもよい。
【００１７】
さらに、パワーコンディショナ２２は、電力系統９側の異常（系統異常）を検出し、系統異常信号を監視装置１へ送信する。系統異常としては、系統の過電圧状態、系統の不足電圧状態、系統周波数の上昇、系統周波数の低下、系統の電圧位相跳躍、系統のゼロクロス信号の未検出、系統周波数の未決定等がある。また、パワーコンディショナ２２は、本体側（太陽電池２１側、パワーコンディショナ２２側）の異常を検出し、本体異常信号を監視装置１へ送信する。本体異常としては、内蔵する冷却用のファンの故障、太陽電池２１の過電圧または不足電圧、太陽電池２１の過電流、機器の直流地絡、機器の過電圧または過電流、ヒートシンク温度異常、各種センサの異常、解列用リレー接点の異常等がある。また、パワーコンディショナ２２は、系統異常、本体異常が解消された場合、この解消された異常内容に対応する復旧信号を監視装置１へ送信する。なお、系統異常、本体異常としては、上記以外の異常内容を含んでもよい。
【００１８】
太陽光発電システム２においては、上述の発電電力情報、日射量情報、気温情報、系統異常信号、本体異常信号、復旧信号が、太陽光発電システム２のシステム情報に相当する。
【００１９】
蓄電池システム３は、蓄電池３１、パワーコンディショナ３２、電流計測器３３を、設備機器として備える。蓄電池３１は、例えばリチウムイオン電池で構成される。パワーコンディショナ３２は、電力系統９から供給される電力を直流電力に変換して蓄電池３１を充電する。また、パワーコンディショナ３２は、蓄電池３１に蓄電されている電力を交流電力に変換して、電力系統９へ出力する。すなわち、パワーコンディショナ３２は、蓄電池３１の充放電制御を行う。電流計測器３３は、パワーコンディショナ３２に内蔵されており、蓄電池３１の充電電流および放電電流を計測し、この計測結果（充放電情報）を監視装置１へ送信する。
【００２０】
さらに、パワーコンディショナ３２は、電力系統９側の異常（系統異常）を検出し、系統異常信号を監視装置１へ送信する。系統異常としては、系統の過電圧状態、系統の不足電圧状態、系統周波数の上昇、系統周波数の低下、系統の電圧位相跳躍、系統のゼロクロス信号の未検出、系統周波数の未決定等がある。また、パワーコンディショナ３２は、本体側（蓄電池３１側、パワーコンディショナ３２側）の異常を検出し、本体異常信号を監視装置１へ送信する。本体異常としては、内蔵する冷却用のファンの故障、蓄電池３１の過充電または過放電、蓄電池３１の過電流、機器の直流地絡、機器の過電圧または過電流、ヒートシンク温度異常、各種センサの異常、解列用リレー接点の異常等がある。また、パワーコンディショナ３２は、系統異常、本体異常が解消された場合、この解消された異常内容に対応する復旧信号を監視装置１へ送信する。なお、系統異常、本体異常としては、上記以外の異常内容を含んでもよい。
【００２１】
蓄電池システム３においては、上述の充放電情報、系統異常信号、本体異常信号、復旧信号が、蓄電池システム３のシステム情報に相当する。
【００２２】
そして、監視装置１は、太陽光発電システム２、蓄電池システム３から収集したシステム情報に基づいて、太陽光発電システム２、蓄電池システム３の異常を監視し、この監視結果を報知端末７へ通知する。
【００２３】
図２に示すように、従来の監視装置１０１は、太陽光発電システム２、蓄電池システム３から収集したシステム情報８０１，８０２に基づいて、太陽光発電システム２、蓄電池システム３の各異常を検出する度に、報知端末７へ異常情報８０３を通知していた。この場合、報知端末７では、通知内容の確認作業が煩わしくなり、ユーザの負担になっていた。
【００２４】
また、図３に示すように、従来の監視装置１０２は、太陽光発電システム２、蓄電池システム３から復旧信号８０４，８０５を受信して異常が全て解消された後、最初に検出した異常のみを、異常情報８０３として報知端末７へ通知する。例えば、太陽光発電システム２の全ての異常が解消された場合、太陽光発電システム２から監視装置１０２へ復旧信号８０４が送信される。さらに蓄電池システム３の全ての異常が解消された場合、蓄電池システム３から監視装置１０２へ復旧信号８０５が送信される。復旧信号８０４，８０５を受信した監視装置１０２は、復旧通知８０６を報知端末７へ通知する。そして、監視装置１０２は、復旧信号８０４，８０５を受信して、異常が全て解消されて異常が発生していないと判定した後に最初に検出した異常のみを、異常情報８０３として報知端末７へ通知する。しかしながら、この方法では、最初に検出された異常以外の他の異常は報知端末７へ通知されないので、ユーザは、発生している全ての異常を把握できず、全ての異常に対応できなかった。
【００２５】
そこで、本実施形態の監視装置１は、最初の異常情報を報知端末７へ送信した後、全ての異常が解消されるまで、発生中の異常に関する異常情報を、時間Ｔ１毎に定期的に報知端末７に通知する。
【００２６】
本実施形態の監視装置１は、情報収集部１１、異常検出部１２、通信部１３、通信制御部１４、データ管理部１５、データ記憶部１６、異常記憶部１７を備えており、太陽光発電システム２および蓄電池システム３の異常を監視する。以下、監視装置１による異常監視動作について、図４のフローチャートを用いて説明する。
【００２７】
情報収集部１１は、電源システムのそれぞれからシステム情報を収集する（Ｓ１）。具体的に、情報収集部１１は、太陽光発電システム２のシステム情報として、発電電力情報、日射量情報、気温情報、系統異常信号、本体異常信号、復旧信号を太陽光発電システム２の各設備機器から収集（受信）する。また、情報収集部１１は、蓄電池システム３のシステム情報として、充放電情報、系統異常信号、本体異常信号、復旧信号を蓄電池システム３の各設備機器から収集（受信）する。
【００２８】
そして、情報収集部１１は、発電電力情報、日射量情報、気温情報、充放電情報を、太陽光発電システム２および蓄電池システム３から一定時間毎に収集（受信）することができる。この一定時間間隔の通信は、ポーリング通信を利用する方法や、太陽光発電システム２および蓄電池システム３が一定時間毎に自発的に情報送信する方法がある。
【００２９】
また、パワーコンディショナ２２，３２は、系統異常を検出したタイミングで系統異常信号を監視装置１へ送信し、本体異常を検出したタイミングで本体異常信号を監視装置１へ送信する。
【００３０】
また、パワーコンディショナ２２は、系統異常、本体異常のそれぞれが解消されたタイミングで、解消された異常の復旧信号を監視装置１へ送信する。パワーコンディショナ３２も、系統異常、本体異常のそれぞれが解消されたタイミングで、解消された異常の復旧信号を監視装置１へ送信する。なお、復旧信号は、復旧時刻、復旧箇所、復旧内容の各データを含む。
【００３１】
データ管理部１５は、情報収集部１１が収集したシステム情報をデータ記憶部１６に格納する。そして、異常検出部１２は、データ記憶部１６に格納されているシステム情報に基づいて、電源システム（太陽光発電システム２、蓄電池システム３）の異常、および電源システムの異常解消（復旧）を検出する（Ｓ２）。
【００３２】
異常検出部１２は、太陽光発電システム２のシステム情報に基づいて、太陽光発電システム２の異常、復旧を検出できる。
【００３３】
異常検出部１２は、例えば日射量に対する発電電力の比率［発電電力／日射量］を算出して、この比率が予め決められた閾値以下であれば、太陽電池２１に損傷等の異常が発生していると判定する。異常検出部１２は、太陽電池２１の異常判定に、太陽光発電システム２の気温情報も併せて用いてもよい。また、異常検出部１２は、パワーコンディショナ２２の系統異常信号が収集された場合に、系統異常が発生していることを検出する。また、異常検出部１２は、パワーコンディショナ２２から本体異常信号が収集された場合、太陽電池２１またはパワーコンディショナ２２に本体異常が発生していることを検出する。
【００３４】
さらに、異常検出部１２は、太陽電池２１の損傷等の異常を検出した後に、例えば日射量に対する発電電力の比率［発電電力／日射量］が予め決められた閾値を上回れば、太陽電池２１の異常が解消されたと判定する。また、異常検出部１２は、パワーコンディショナ２２から復旧信号が送信された場合、この復旧信号に対応するパワーコンディショナ２２の異常（系統異常または本体異常）が解消されたと判定する。
【００３５】
また、異常検出部１２は、蓄電池システム３のシステム情報に基づいて、蓄電池システム３の異常、復旧を検出できる。
【００３６】
異常検出部１２は、例えば充電電流、放電電流の時間変化に基づいて蓄電池３１の寿命、損傷等による劣化具合を導出し、この劣化具合が基準を上回っていれば蓄電池３１の異常を検出する。また、異常検出部１２は、パワーコンディショナ３２の系統異常信号が収集された場合に、系統異常が発生していることを検出する。また、異常検出部１２は、パワーコンディショナ３２から本体異常信号が収集された場合、蓄電池３１またはパワーコンディショナ３２に本体異常が発生していることを検出する。
【００３７】
さらに、異常検出部１２は、蓄電池３１の異常を検出した後に、充電電流および放電電流の時間変化が正常に戻って蓄電池３１の異常を検出しなくなれば、蓄電池３１の異常が解消されたと判定する。また、異常検出部１２は、パワーコンディショナ３２から復旧信号が送信された場合、この復旧信号に対応するパワーコンディショナ３２の異常（系統異常または本体異常）が解消されたと判定する。
【００３８】
そして、通信制御部１４は、異常検出部１２による異常および復旧の検出結果を、異常記憶部１７に格納されている異常履歴情報と比較して、異常の発生状況を確認する（Ｓ３）。
【００３９】
異常記憶部１７には、異常検出部１２が検出した過去の異常および復旧の履歴（異常履歴情報）が格納されており、異常履歴情報の一例を図５に示す。この異常履歴情報は、異常の発生状況に関する情報である。異常は、異常履歴情報において、異常の検出時刻、異常箇所、異常内容が互いに対応付けられている。さらに復旧は、異常履歴情報において、復旧時刻、復旧箇所、復旧内容が互いに対応付けられている。
【００４０】
そして、通信制御部１４は、異常履歴情報を参照することによって、現在発生中の異常（未だ復旧していない異常）の有無を判定できる。すなわち、通信制御部１４は、異常履歴情報を参照することによって、何の異常が、いつ、どこで発生したかを把握でき、さらに各異常の復旧状態も把握できる。異常箇所とは、「太陽電池２１」、「パワーコンディショナ２２」、「蓄電池３１」、「パワーコンディショナ３２」等である。異常の内容とは、「太陽電池異常」、「蓄電池異常」、「系統異常」、「本体異常」である。「系統異常」は、「過電圧異常」、「不足電圧異常」、「系統周波数の上昇異常」、「系統周波数の低下異常」、「系統の電圧位相跳躍」、「系統のゼロクロス信号の未検出」、「系統周波数の未決定」等にさらに分類される。本体異常は、「ファン故障」、「太陽電池２１の過電圧」、「太陽電池２１の不足電圧」、「太陽電池２１の過電流」、「蓄電池３１の過充電」、「蓄電池３１の過放電」、「蓄電池３１の過電流」、「機器の直流地絡」、「機器の過電圧」、「機器の過電流」、「ヒートシンク温度異常」、「センサの異常」、「解列用リレー接点の異常」等にさらに分類される。
【００４１】
そして通信制御部１４は、ステップＳ３において、異常検出部１２の検出結果を、「新規異常あり」、「変化なし」、「復旧あり」のいずれかに分類する。
【００４２】
異常検出部１２が新規異常（異常履歴情報において発生中の異常として格納されていない新たな異常）を検出している場合、ステップＳ３において、通信制御部１４は異常の検出結果を「新規異常あり」に分類する。通信制御部１４は、異常の検出結果を「新規異常あり」に分類すると、新規異常の情報を異常記憶部１７に格納して、異常履歴情報に新規異常の情報を追加する（Ｓ４）。
【００４３】
次に通信制御部１４は、異常履歴情報に追加された新規異常が、異常履歴情報において唯一となる発生中の異常（最初の異常）であるか否かを判定する（Ｓ５）。そして、異常履歴情報に追加された新規異常が最初の異常である場合、通信制御部１４は、最初の異常に関する情報（最初の異常情報）を通信部１３から報知端末７へ送信させる（Ｓ６）。すなわち、最初の異常情報は、後述の定期通知処理時ではなく、異常検出時に監視装置１から報知端末７へ迅速に通知される。
【００４４】
通信部１３は、広域ネットワーク１００に接続した報知端末７との間で通信を行うことができる。そして、通信制御部１４は、太陽光発電システム２および蓄電池システム３の各異常に関する情報（異常情報）を通信部１３から報知端末７へ送信させることができる。異常情報は、異常の検出時刻と、異常の発生箇所と、異常の内容とを報知端末７に報知させる情報であることが好ましい。この場合、異常の特定に必要な情報が異常情報に含まれるので、報知端末７において異常を把握しやすくなる。
【００４５】
報知端末７は、通信部７１、表示部７２を備える。通信部７１は、広域ネットワーク１００に接続した監視装置１との間で通信を行うことができる。表示部７２は、例えば液晶画面で構成されており、各種情報を表示する。そして、表示部７２は、通信部７１が監視装置１から受信した異常情報、復旧通知等を表示することができる。
【００４６】
また、異常履歴情報に追加された新規異常が最初の異常でない場合、通信制御部１４は、通知フラグをオンに設定する（Ｓ７）。この通知フラグは、通信制御部１４に設けられており、通信制御部１４によってオン（１）・オフ（０）を切り替え可能に設定される。
【００４７】
また異常検出部１２が新規異常および復旧を検出していない場合、ステップＳ３において通信制御部１４は異常の検出結果を「変化なし」に分類する。そして、通信制御部１４は、異常履歴情報を参照して、発生中の異常の有無を判定する（Ｓ８）。通信制御部１４は、発生中の異常があれば、通知フラグをオンに設定する（Ｓ９）。通信制御部１４は、発生中の異常がなければ、本処理を終了する。
【００４８】
また異常検出部１２が復旧を検出した場合、ステップＳ３において通信制御部１４は異常の検出結果を「復旧あり」に分類する。通信制御部１４は、異常の検出結果を「復旧あり」に分類すると、復旧の情報を異常記憶部１７に格納して、異常履歴情報に復旧の情報を追加する（Ｓ１０）。次に、通信制御部１４は、全ての異常が解消された全復旧状態であるか否かを判定する（Ｓ１１）。通信制御部１４は、全復旧状態であれば、全ての異常が解消されたことを示す復旧通知を通信部１３から報知端末７へ送信させる（Ｓ１２）。そして、通信制御部１４は、通知フラグをオフに設定する（Ｓ１３）。また、全復旧状態でなければ、本処理を終了する。
【００４９】
すなわち、通信制御部１４は、異常履歴情報を参照して全ての発生中の異常が解消された場合、異常の復旧がなされたことを通信部１３から報知端末７へ通知させることが好ましい。この場合、報知端末７では、電源システムの全ての異常が解消されたことを把握できる。
【００５０】
そして、通信制御部１４は、図６の定期通知処理を時間Ｔ１（所定時間）毎に割り込み実行する。
【００５１】
まず、通信制御部１４は、定期通知フラグの状態を判定する（Ｓ２１）。通知フラグがオフである場合、通信制御部１４は本処理を終了する。
【００５２】
通知フラグがオンである場合、通信制御部１４は、異常履歴情報を参照して現在発生中の異常情報を抽出する（Ｓ２２）。そして、通信制御部１４は、現在発生中の異常に関する情報（異常情報）を通信部１３から報知端末７へ送信させる（Ｓ２３）。すなわち、最初の異常情報が送信された後、全復旧になるまで（通知フラグがオンである間）、発生中の異常に関する異常情報は、時間Ｔ１毎に定期的に報知端末７へ通知される。通信制御部１４は、異常情報を送信した後、通知フラグをオフする（Ｓ２４）。
【００５３】
図７は、監視装置１による異常監視動作の一例を示す通信シーケンスである。
【００５４】
まず、監視装置１の異常記憶部１７に格納されている異常履歴情報に、現在発生中の異常はないものとする。そして、システム情報２０１が、太陽光発電システム２から監視装置１へ送信される。異常検出部１２は、システム情報２０１に基づく異常検出処理を行い、「異常１」を検出した。そこで、通信制御部１４は、この「異常１」に関する異常情報２０２を、最初の異常情報として通信部１３から報知端末７へ送信させる。報知端末７の表示部７２は、通信部７１が監視装置１から受信した異常情報２０２を表示する。この場合、「Ｘ１時Ｙ１分  異常１発生」のメッセージが表示部７２に表示される。
【００５５】
そして、最初の異常情報２０２が送信された後、全復旧になるまで（通知フラグがオンである間）、発生中の異常に関する異常情報は、時間Ｔ１毎に定期的に報知端末７に通知される。
【００５６】
図７では、最初の異常情報２０２が送信されてから時間Ｔ１が経過するまでに、太陽光発電システム２から監視装置１へシステム情報２０４，２０６が送信され、蓄電池システム３から監視装置１へシステム情報２０３，２０５が送信されている。そして、異常検出部１２は、システム情報２０３〜２０６に基づく異常検出処理を行い、「異常２」「異常３」「異常４」を新規異常として検出した。そこで、通信制御部１４は、「異常１」および新たに検出された「異常２」「異常３」「異常４」に関する異常情報２０７を定期通知による異常情報として通信部１３から報知端末７へ送信させる。報知端末７の表示部７２は、通信部７１が監視装置１から受信した異常情報２０７を表示する。この場合、「Ｘ１時Ｙ１分  異常１発生」、「Ｘ２時Ｙ２分  異常２発生」、「Ｘ３時Ｙ３分  異常３発生」、「Ｘ４時Ｙ４分  異常４発生」のメッセージが表示部７２に表示される。
【００５７】
さらに、定期通知による異常情報２０７が送信されてから時間Ｔ１が経過するまでに、太陽光発電システム２から監視装置１へシステム情報２０９，２１１が送信され、蓄電池システム３から監視装置１へシステム情報２０８，２１０が送信されている。そして、異常検出部１２は、システム情報２０８〜２１１に基づく異常検出処理を行い、「異常５」「異常６」を新規異常として検出した。そこで、通信制御部１４は、「異常１」「異常２」「異常３」「異常４」および新たに検出された「異常５」「異常６」に関する異常情報２１２を定期通知による異常情報として通信部１３から報知端末７へ送信させる。報知端末７の表示部７２は、通信部７１が監視装置１から受信した異常情報２１２を表示する。この場合、「Ｘ１時Ｙ１分  異常１発生」、「Ｘ２時Ｙ２分  異常２発生」、「Ｘ３時Ｙ３分  異常３発生」、「Ｘ４時Ｙ４分  異常４発生」、「Ｘ５時Ｙ５分  異常５発生」、「Ｘ６時Ｙ６分  異常６発生」のメッセージが表示部７２に表示される。
【００５８】
そして、定期通知による異常情報２１２が送信されてから時間Ｔ１が経過するまでに、蓄電池システム３から監視装置１へシステム情報２１３が送信されている。異常検出部１２は、システム情報２１３に基づく異常検出処理を行ったが、異常なしであった。
【００５９】
その後、太陽光発電システム２の異常が全て解消されて、太陽光発電システム２で発生していた異常の復旧を示す復旧信号２１４が太陽光発電システム２から監視装置１へ送信された。さらに、蓄電池システム３の異常が全て解消されて、蓄電池システム３で発生していた異常の復旧を示す復旧信号２１５が蓄電池システム３から監視装置１へ送信された。そして、通信制御部１４は、全ての異常が解消された全復旧状態であると判定し、復旧通知２１６を通信部１３から報知端末７へ送信させる。報知端末７の表示部７２は、通信部７１が監視装置１から受信した復旧通知２１６を表示する。この場合、「Ｘ７時Ｙ７分  異常復旧」のメッセージが表示部７２に表示される。
【００６０】
すなわち、監視装置１は、太陽光発電システム２、蓄電池システム３の最初の異常を検出したときには、異常検出時に報知端末７へ異常発生を通知する。以降、監視装置１は、時間Ｔ１毎に、現在発生中の異常について報知端末７へ通知する。
【００６１】
上述の監視装置１は、情報収集部１１と、異常検出部１２と、通信部１３と、通信制御部１４と、異常記憶部１７（記憶部）とを備える。情報収集部１１は、電力系統９へ電力を供給する電源システムから電源システムに関するシステム情報を収集する。太陽光発電システム２、蓄電池システム３が電源システムに相当する。
【００６２】
異常検出部１２は、システム情報に基づいて電源システムの異常を検出する。通信部１３は、電源システムの異常を報知する報知端末７との間で通信を行う。通信制御部１４は、電源システムの異常に関する異常情報を通信部１３から報知端末７へ送信させる。異常記憶部１７は、異常検出部１２の検出結果に基づく電源システムの異常の発生状況を示す異常履歴情報を格納する。
【００６３】
そして、通信制御部１４は、異常履歴情報を参照して発生中の異常の有無を判定し、発生中の異常がない場合に異常検出部１２が電源システムの異常を検出すれば、この検出された異常に関する異常情報を通信部１３から報知端末７へ送信させる。
【００６４】
また、通信制御部１４は、発生中の異常がある場合、通信部１３による異常情報の送信タイミングを所定時間（時間Ｔ１）毎に設定する。そして、通信制御部１４は、前回の送信タイミングから所定時間が経過したタイミングで、前回の送信タイミング以降に検出された電源システムの異常に関する異常情報を通信部１３から報知端末７へ送信させる。
【００６５】
したがって、監視装置１、およびこの監視装置１を用いた監視システムは、電源システム（太陽光発電システム２および蓄電池システム３）で発生した全ての異常を報知端末７へ通知できる。さらに、異常発生が継続した場合、現在発生中の異常について報知端末７へ時間Ｔ１毎に通知するので、報知端末７における通知内容の確認作業の煩わしさを低減できる。すなわち、監視装置１、およびこの監視装置１を用いた監視システムは、電源システムの全ての異常を通知し、且つ通知先にとって通知内容の確認作業の煩わしさを低減できる。
【００６６】
また、監視装置１、およびこの監視装置１を用いた監視システムは、最初の異常を報知端末７へ通知した後、以降の検出内容を報知端末７へ定期的に通知することで、ユーザは、次々に発生する各異常の関連性を把握しやすくなる。
【００６７】
さらに、監視装置１が送信する異常情報は、異常の概要をメッセージ等で通知し、管理サーバ（図示なし）のＵＲＬ（Uniform Resource Locator）のリンクを画面内に貼っておいてもよい。この場合、管理サーバは、異常内容毎に詳細情報と対応方法との各データを予め格納しており、報知端末７は、画面内に貼られたリンクを選択することによって、管理サーバにアクセスして、異常内容を詳細まで確認できる。
【００６８】
さらに、通信制御部１４は、発生中の異常がある場合、前回の送信タイミングから所定時間（時間Ｔ１）が経過したタイミングで、異常情報を通信部１３から報知端末７へ送信させる。この異常情報は、前回の送信タイミング以降に検出された電源システムの異常を含む全ての発生中の異常に関する異常情報であることが好ましい。この場合、現在発生中の全ての異常について報知端末７へ定期的に通知されるので、ユーザは、電源システムの異常を把握しやすくなる。
【００６９】
また、情報収集部１１は、複数の電源システム（太陽光発電システム２および蓄電池システム３）のシステム情報を収集している。そして、異常検出部１２は、システム情報に基づいて電源システムのそれぞれの異常を検出することが好ましい。そして、図８に示すように、異常記憶部１７（記憶部）は、太陽光発電システム２の異常履歴情報、蓄電池システム３の異常履歴情報を互いに独立して格納してもよい。この場合、監視装置１は、太陽光発電システム２の異常発生状況、蓄電池システム３の異常発生状況を別々に管理しやすくなる。
【００７０】
次に、本実施形態の第１の変形例を説明する。
【００７１】
通信制御部１４は、異常情報の送信制御を電源システム毎に行うことが好ましい。この場合、通信制御部１４は、異常履歴情報を参照して発生中の異常の有無を電源システム毎に判定する。通信制御部１４は、発生中の異常がない第１の電源システムの異常を異常検出部１２が検出すれば、この検出された異常に関する異常情報を通信部１３から報知端末７へ送信させる。また、通信制御部１４は、発生中の異常がある第２の電源システムの異常情報の送信タイミングを所定時間毎に設定する。そして、通信制御部１４は、前回の送信タイミングから所定時間が経過したタイミングで、前回の送信タイミング以降に検出された第２の電源システムの異常に関する異常情報を通信部１３から報知端末７へ送信させる。
【００７２】
具体的に、監視装置１は、太陽光発電システム２の異常履歴情報に基づいて、太陽光発電システム２の異常通知処理を、図４、図６のフローチャートにしたがって実行する。
【００７３】
すなわち、太陽光発電システム２の異常履歴情報において発生中の異常がない場合、異常検出部１２が太陽光発電システム２の異常を検出すれば、通信制御部１４は、この検出された異常に関する異常情報を通信部１３から報知端末７へ送信させる。また、太陽光発電システム２の異常履歴情報において発生中の異常がある場合、通信制御部１４は、太陽光発電システム２の異常情報の送信タイミングを時間Ｔ１毎に設定する。そして、通信制御部１４は、前回の送信タイミングから時間Ｔ１が経過したタイミングで、前回の送信タイミング以降に検出された太陽光発電システム２の異常に関する異常情報を通信部１３から報知端末７へ送信させる。
【００７４】
また、監視装置１は、蓄電池システム３の異常履歴情報に基づいて、蓄電池システム３の異常通知処理を、図４、図６のフローチャートにしたがって実行する。
【００７５】
すなわち、蓄電池システム３の異常履歴情報において発生中の異常がない場合、異常検出部１２が蓄電池システム３の異常を検出すれば、通信制御部１４は、この検出された異常に関する異常情報を通信部１３から報知端末７へ送信させる。また、蓄電池システム３の異常履歴情報において発生中の異常がある場合、通信制御部１４は、蓄電池システム３の異常情報の送信タイミングを時間Ｔ１毎に設定する。そして、通信制御部１４は、前回の送信タイミングから時間Ｔ１が経過したタイミングで、前回の送信タイミング以降に検出された蓄電池システム３の異常に関する異常情報を通信部１３から報知端末７へ送信させる。
【００７６】
したがって、監視装置１は電源システム毎に独立して異常通知処理を行うので、通知内容の確認作業の煩わしさを低減させるという効果を維持しながら、異常通知のリアルタイム性を向上させることができる。
【００７７】
次に、本実施形態の第２の変形例を説明する。
【００７８】
通信制御部１４は、電源システムのそれぞれに付与された優先度の情報を保持することが好ましい。
【００７９】
そして、通信制御部１４は、いずれかの電源システムに発生中の異常があるときに、異常情報の前回の送信タイミングから所定時間（時間Ｔ１）が経過するまでに異常検出部１２が異常を検出したとする。この場合、この異常が検出された電源システムの優先度が、発生中の異常がある電源システムの優先度より高ければ、通信制御部１４は、この検出された異常に関する異常情報を通信部１３から報知端末７へ送信させる。
【００８０】
また、通信制御部１４は、いずれかの電源システムに発生中の異常があるときに、異常情報の前回の送信タイミングから所定時間（時間Ｔ１）が経過するまでに異常検出部１２が異常を検出したとする。この場合、この異常が検出された電源システムの優先度が、発生中の異常がある電源システムの前記優先度より低ければ、通信制御部１４は、異常情報の前回の送信タイミングから所定時間（時間Ｔ１）が経過したタイミングで、この検出された異常に関する異常情報を通信部１３から報知端末７へ送信させる。
【００８１】
以下、第２の変形例の動作を、図９のシステム構成、図１０の通信シーケンスを用いて説明する。
【００８２】
図９に示すように、監視システムは電源システム４１，４２，４３，４４を備えており、監視装置１は、電源システム４１，４２，４３，４４のそれぞれの異常を監視している。優先順位は、電源システム４１：「優先順位１」，電源システム４２：「優先順位２」，電源システム４３：「優先順位３」、電源システム４４：「優先順位４」に設定されており、優先順位は数字が小さいほど高くなる。通信制御部１４は、手動操作、またはネットワークを介した遠隔設定によって、この優先順位の情報を保持している。
【００８３】
なお、電源システム４１〜４４のそれぞれは、太陽光発電システム２、または蓄電池システム３と同様の構成を備える。
【００８４】
まず、監視装置１の異常記憶部１７に格納されている異常履歴情報に、現在発生中の異常はないものとする。そして、システム情報３０１が電源システム４３から監視装置１へ送信される。異常検出部１２は、システム情報３０１に基づく異常検出処理を行い、「電源システム４３の異常」を検出した。そこで、通信制御部１４は、「電源システム４３の異常」に関する異常情報３０２を、最初の異常情報として通信部１３から報知端末７へ送信させる。報知端末７の表示部７２は、通信部７１が監視装置１から受信した異常情報３０２を表示する。
【００８５】
そして、最初の異常情報３０２が送信されてから時間Ｔ１が経過するまでに、電源システム４４から監視装置１へシステム情報３０３が送信されている。そして、異常検出部１２は、システム情報３０３に基づく異常検出処理を行い、「電源システム４４の異常」を新規異常として検出した。新規異常が検出された電源システム４４の優先順位は、異常履歴情報において異常発生中となっている電源システム４３の優先順位より低い。そこで、通信制御部１４は、「電源システム４３の異常」および新たに検出された「電源システム４４の異常」に関する異常情報３０４を定期通知による異常情報として通信部１３から報知端末７へ送信させる。報知端末７の表示部７２は、通信部７１が監視装置１から受信した異常情報３０４を表示する。
【００８６】
そして、定期通知による異常情報３０４が送信されてから時間Ｔ１が経過するまでに、電源システム４２から監視装置１へシステム情報３０５が送信されている。そして、異常検出部１２は、システム情報３０５に基づく異常検出処理を行い、「電源システム４２の異常」を新規異常として検出した。新規異常が検出された電源システム４２の優先順位は、異常履歴情報において異常発生中となっている電源システム４３，４４の優先順位より高い。そこで、通信制御部１４は、「電源システム４３，４４の各異常」および新たに検出された「電源システム４２の異常」に関する異常情報３０６を、定期通知のタイミングに関わらずできるだけ早く通信部１３から報知端末７へ送信させる。報知端末７の表示部７２は、通信部７１が監視装置１から受信した異常情報３０６を表示する。
【００８７】
そして、定期通知による異常情報３０４が送信されてから時間Ｔ１が経過した時点で、通信制御部１４は、「電源システム４２〜４４の各異常」に関する異常情報３０７を定期通知による異常情報として通信部１３から報知端末７へ送信させる。報知端末７の表示部７２は、通信部７１が監視装置１から受信した異常情報３０７を表示する。
【００８８】
そして、定期通知による異常情報３０７が送信されてから時間Ｔ１が経過するまでに、電源システム４１から監視装置１へシステム情報３０８が送信されている。そして、異常検出部１２は、システム情報３０８に基づく異常検出処理を行い、「電源システム４１の異常」を新規異常として検出した。新規異常が検出された電源システム４１の優先順位は、異常履歴情報において異常発生中となっている電源システム４２，４３，４４の優先順位より高い。そこで、通信制御部１４は、「電源システム４２〜４４の各異常」および新たに検出された「電源システム４１の異常」に関する異常情報３０９を、定期通知のタイミングに関わらずできるだけ早く通信部１３から報知端末７へ送信させる。報知端末７の表示部７２は、通信部７１が監視装置１から受信した異常情報３０９を表示する。
【００８９】
そして、定期通知による異常情報３０７が送信されてから時間Ｔ１が経過した時点で、通信制御部１４は、「電源システム４１〜４４の各異常」に関する異常情報３１０を定期通知による異常情報として通信部１３から報知端末７へ送信させる。報知端末７の表示部７２は、通信部７１が監視装置１から受信した異常情報３１０を表示する。
【００９０】
このように、電源システムに優先順位を付与して、監視装置１は、新規異常を発生した電源システムの優先順位に基づいて、定期通知と、定期通知のタイミングに関わらない非定期通知とのいずれを行うかを判定する。したがって、優先順位が高い電源システムの異常は、非定期通知によって報知端末７へすぐに通知されて、リアルタイム性を確保しやすくなる。
【００９１】
次に、本実施形態の第３の変形例を説明する。
【００９２】
通信制御部１４は、発生中の異常がある場合、前回の送信タイミングから所定時間（時間Ｔ１）が経過したタイミングで、異常情報を通信部１３から報知端末７へ送信させる。この場合、異常情報は、前回の送信タイミング以降に検出された電源システムの異常のみに関する異常情報であることが好ましい。
【００９３】
以下、第３の変形例の動作を、図１１の通信シーケンスを用いて説明する。
【００９４】
まず、監視装置１の異常記憶部１７に格納されている異常履歴情報に、現在発生中の異常はないものとする。そして、システム情報４０１が、太陽光発電システム２から監視装置１へ送信される。異常検出部１２は、システム情報４０１に基づく異常検出処理を行い、「異常１１」を検出した。そこで、通信制御部１４は、この「異常１１」に関する異常情報４０２を、最初の異常情報として通信部１３から報知端末７へ送信させる。報知端末７の表示部７２は、通信部７１が監視装置１から受信した異常情報４０２を表示する。この場合、「Ｘ１１時Ｙ１１分  異常１１発生」のメッセージが表示部７２に表示される。
【００９５】
そして、最初の異常情報４０２が送信された後、全復旧になるまで（通知フラグがオンである間）、発生中の異常に関する異常情報は、時間Ｔ１毎に定期的に報知端末７に通知される。
【００９６】
図１１では、最初の異常情報４０２が送信されてから時間Ｔ１が経過するまでに、太陽光発電システム２から監視装置１へシステム情報４０４，４０６が送信され、蓄電池システム３から監視装置１へシステム情報４０３，４０５が送信されている。そして、異常検出部１２は、システム情報４０３〜４０６に基づく異常検出処理を行い、「異常１２」「異常１３」「異常１４」を検出した。そこで、通信制御部１４は、この新たに検出された「異常１２」「異常１３」「異常１４」のみに関する異常情報４０７を定期通知による異常情報として通信部１３から報知端末７へ送信させる。報知端末７の表示部７２は、通信部７１が監視装置１から受信した異常情報４０７を表示する。この場合、「Ｘ１２時Ｙ１２分  異常１２発生」、「Ｘ１３時Ｙ１３分  異常１３発生」、「Ｘ１４時Ｙ１４分  異常１４発生」のメッセージが表示部７２に表示される。
【００９７】
さらに、定期通知による異常情報４０７が送信されてから時間Ｔ１が経過するまでに、太陽光発電システム２から監視装置１へシステム情報４０９，４１１が送信され、蓄電池システム３から監視装置１へシステム情報４０８，４１０が送信されている。そして、異常検出部１２は、システム情報４０８〜４１１に基づく異常検出処理を行い、「異常１５」「異常１６」を検出した。そこで、通信制御部１４は、この新たに検出された「異常１５」「異常１６」のみに関する異常情報４１２を定期通知による異常情報として通信部１３から報知端末７へ送信させる。報知端末７の表示部７２は、通信部７１が監視装置１から受信した異常情報４１２を表示する。この場合、「Ｘ１５時Ｙ１５分  異常１５発生」、「Ｘ１６時Ｙ１６分  異常１６発生」のメッセージが表示部７２に表示される。
【００９８】
そして、定期通知による異常情報４１２が送信されてから時間Ｔ１が経過するまでに、蓄電池システム３から監視装置１へシステム情報４１３が送信されている。異常検出部１２は、システム情報４１３に基づく異常検出処理を行ったが、異常なしであった。
【００９９】
その後、太陽光発電システム２の異常が全て解消されて、太陽光発電システム２で発生していた異常の復旧を示す復旧信号４１４が太陽光発電システム２から監視装置１へ送信された。さらに、蓄電池システム３の異常が全て解消されて、蓄電池システム３で発生していた異常の復旧を示す復旧信号４１５が蓄電池システム３から監視装置１へ送信された。そして、通信制御部１４は、全ての異常が解消された全復旧状態であると判定し、復旧通知４１６を通信部１３から報知端末７へ送信させる。報知端末７の表示部７２は、通信部７１が監視装置１から受信した復旧通知４１６を表示する。この場合、「Ｘ１７時Ｙ１７分  異常復旧」のメッセージが表示部７２に表示される。
【０１００】
すなわち、監視装置１は、太陽光発電システム２、蓄電池システム３の最初の異常を検出したときには、異常検出時に報知端末７へ異常発生を通知する。以降、監視装置１は、時間Ｔ１毎に、新規に発生した異常についてのみ報知端末７へ定期通知するので、定期通知時の通信トラフィックを抑制でき、例えば監視装置１−報知端末７間の通信に要する通信代を抑えることが可能となる。
【０１０１】
また、上述の監視システムは、監視装置１と、監視装置１から受信した異常情報を報知する報知端末７とを備えることを特徴とする。
【０１０２】
また、上述の電力計測器２３は、パワーコンディショナ２２の外部に独立して設けられてもよく、さらに上述の電流計測器３３は、パワーコンディショナ３２の外部に独立して設けられてもよい。
【０１０３】
また、太陽光発電システム２および蓄電池システム３は、電力系統９の形態に応じて、電力系統９で用いられる仕様の交流電力または直流電力を出力することが好ましい。
【符号の説明】
【０１０４】
１  監視装置
１１  情報収集部
１２  異常検出部
１３  通信部
１４  通信制御部
１７  異常記憶部（記憶部）
２  太陽光発電システム（電源システム）
３  蓄電池システム（電源システム）
７  報知端末
９  電力系統
【図１】
2015220966.tif 000003
【図２】
2015220966.tif 000004
【図３】
2015220966.tif 000005
【図４】
2015220966.tif 000006
【図５】
2015220966.tif 000007
【図６】
2015220966.tif 000008
【図７】
2015220966.tif 000009
【図８】
2015220966.tif 000010
【図９】
2015220966.tif 000011
【図１０】
2015220966.tif 000012
【図１１】
2015220966.tif 000013